(57)【要約】【目的】本発明は、揚水システム系に於いて、空気室の原理とパスカルの原理を相互作用させて、大気圧エネルギーを利用して液体の低位置エネルギーを高位置エネルギーに変換させて揚水動力を減少させる装置である。【構成】減圧された空気層を持つ上部密閉タンク下部にポンプ、揚水管、降水管、水車、水槽を持ち内部を水が循環する。【効果】揚水ポンプを作動させて、水を断続的に送出すると上部タンクの減圧された空気層の弾性力の復元力によって、上部タンクの水面が引上げられるのにつれて、揚水管ポンプ内の水が吸上げられるのでポンプの動力は減少する。すると空気層の弾性力が減少するので、次の瞬間には、降水管の自然流下につれてタンクの水面は低下するので、空気層の弾性力は引張し元に戻る。再びポンプが作動して水を送出すると空気層の弾性力の復元力が働く。次の瞬間降水管へ流下する。以上のサイクルを繰返してポンプ動力よりも水車発電機の出力を大きくする事が出来る。【選択図】        図１
2005002979.tif 000002
【特許請求の範囲】
【請求項１】
タンク（１）内に液体部（２）と減圧された気体部（３）とを形成し一端がタンク（１）外より液体部（２）に連通する降液管（５）を設け、その降液管（５）の他方を垂直方向にタンク（１）内の液面（４）以下に延設し、その液面（４）以下の降液管（５）の延設部下部に排液バルブ（５’）水車（６）排液口（７）を設け、その排液口（７）が浸漬する貯液槽（８）を設けるその液面（４）は大気中に開放されている。その貯液槽（８）より吸液管（９）と間欠的に液体を吸入圧出する揚液ポンプ（１０）逆止弁（１２）揚液管（１１）等を通じてタンク（１）の底面を通じてタンク（１）内の液体部（２）に連通して液体を巡循させてパスカルの法則とフックの法則と重力の相互作用を利用してエネルギーを発生させる揚液装置。
【請求項２】
「請求項１」記載の間欠揚液ポンプ（１０）の回転部分にフライホイールを装着する揚液装置。
【請求項３】
「請求項１」「請求項２」記載の図１の抜気バルブ（１３）部分に吸排気ポンプを設置する揚液装置。
【発明の詳細な説明】
【０００１】
【産業上の利用分野】
揚液システム系に於ける揚液装置に関するもの。
【０００２】
【従来の技術】
空気室の原理により気体の圧縮性による弾性力を利用して水撃ポンプ、ピストンポンプ、油圧機構等に利用されてエネルギーを吸入したり放出したりという利用法であった。此等はすべて空気室の圧力は大気圧より大きかった。空気室の圧力を大気圧以下の負圧にして空気室自体を高所に置いて利用する方法は無かった。
【０００３】
【発明が解決しようとする課題】
従来の揚液装置に置いては揚液動力はすべてモータ動力（電気、化石燃料）であったが、当装置は空気室を負圧にする事によって大気圧の圧力エネルギーを増幅して利用する事が出来るので非常に少ないエネルギーで揚液出来る揚液装置を提供するものである。
【０００４】
【課題を解決しようとする手段】
タンク１内に液体部２と減圧された気体部３とを形成し一端がタンク１外より液体部２に連通する降液管５を設け、その降液管５の他方を垂直方向にタンク１内の液面４以下に延設し、その液面４以下の降液管５の延設部の下部に排液バルブ５’水車６排液口７を設け、その排液口７が浸漬する貯液槽８を設け、その液面４は大気中に開放されている。その貯液槽８より吸液管９間欠揚液ポンプ１０揚液管１１逆止弁１２等を通じてタンク１内液体部２に連通されている。タンク１内の空気体積と液体体積、液体表面積は間欠揚液ポンプ１０のピストン面積と流量に対して非常に大きく設定されている。
【０００５】
【作用】
以下説明上液体は水とする。
図面１の如く空間にある″高サ″を持った負圧の水表面積４を持つ空気室に低位置の間欠揚液ポンプ１０にて送水すると、空気室の負圧と大気圧との圧力差とパスカルの法則により空気室の大きな水表面積と小面積の揚液管１１と間欠揚液ポンプ１０の中の水柱は空気室の水表面積の大きな力此と小さな速比と、小さな面積の間欠揚液ポンプ１０のピストン面のピストンの小さな力比と大きな速比の関係となって、間欠揚液ポンプ１０を作動させると空気室の方へ吸込まれる。換言すると大気圧によって押込まれるのでポンプ動力は非常に減少する。空気室とはタンク１内の気体部分３と液体部分２の事をいい上記はすべて空気室の原理によるものである。
【０００６】
【実施例】
図面１の如く波線の部分に水を充満させる。降液管バルブ５’を開放して水を自然落下させるとタンク１内の気体部分３の圧力は低下して大気圧以下の一定の負圧になる、と同時に間欠揚液ポンプ１０を作動させて水をタンク１内に圧入する。ポンプ圧入量と降液管５の落下流量を一定にするとタンク１内気体部分３の圧力は一定の範囲内で微少の圧力変動を繰り返す。落下した水は貯液槽８に溜まりそこから間欠揚液ポンプ１０、揚液管１１を通りタンク１に入り降液管５  水車６  貯液槽８と循環する。此間に於いてタンク１内気体部分３は空気室の原理によって、間欠揚液ポンプ１０によって送込まれた水はタンク１内気体部分３を収縮してエネルギーを吸上げる。と同時に降液管５の水柱の重さによる自然落下の流量によって、タンク１内気体部分３を膨張させてエネルギーを放出する。此様に気体の膨張、収縮による（弾性力による）上下の伸縮運動はタンク１内の液面４を上下動させる。此力は連続の理によって揚液管１１間欠揚液ポンプ１０のピストン面を通じてピストンに連なるロットそれに連なるポンプの回転部分、更に動力部分の回転部分にも及ぶので此處にフライホイルを装着する事によって上記大気圧の圧力エネルギーの往復運動を回転運動エネルギーに変換できる。此は又パスカルの法則によって間欠揚液ポンプ１０の送水時に作用して間欠揚液ポンプ１０の動力を減少させる。そして間欠揚液ポンプ１０の休止期（吸込期）には逆止弁１２によってそのエネルギーの逆流を防止する。従って間欠揚液ポンプ１０の動力は非常に減少する。タンク１内気体部分３の圧力は間欠揚液ポンプ１０の送水によって水量が増加して収縮して増加するが、降液管５の水柱の重さによる自然落下によって水量が減少して膨張して減少するのでタンク１内気体部分３の弾性力は原理的には減失する事はない。降液管５を自然落下した水柱はタンク１内気体部分３の圧力を低下させた水柱分を差引き残りの水柱は降液管５下部の水車６発電機を回転させてエネルギーを外部に取出す事が出来る。
【０００７】
此実施例は「請求項３」の実施例である。長期間の運転中に際して巡循する液体中に含まれる気体がタンク１内の液体表面４からタンク１内の気体部分３に分離する。又はタンク１内の気体部分３の気体が液体表面４に溶解する恐れがあるのでタンク１内の気体部分３の気体体積を常に一定にする為に吸排気を行って調節するものである。
【０００８】
【発明の効果】
本発明は、クリーンで無料の大気圧エネルギーを水の高位置エネルギーに変換出来るので、此を自然落下させて水車発電機を回転させる事によって、電気エネルギーに変換する事が出来る揚液装置である。
【図面の簡単な説明】
【図１】本発明の実施例の立体的略図である。
【符号の説明】
１  タンク
２  液体部
３  気体部
４  液面
５  降液管
５′  排液バルブ
６  水車
７  排液口
８  貯液槽
９  吸液管
１０  間欠揚液ポンプ
１０′  揚液バルブ
１１  揚液管
１２  逆止弁
１３  抜気バルブ圧力計
【図１】
2005002979.tif 000003